(57)【要約】      （修正有）【課題】サイホン発生防止装置を備える排水装置の提供、及び排水装置が圧力弁を備えた際において、圧力弁の動作の安定化。【解決手段】排水装置は、サイホン発生防止装置２、排水トラップ、弁部材５を備えている。又、弁部材５は、槽体内からの圧力が所定の値を超えた時に開口し、槽体内の湯水を下水側に排出する圧力弁５２を有している。サイホン発生防止装置２は、排水口本体１の下方であって、排水トラップの封水部よりも上流側に配置された筒状体であり、その内側において、旋回羽２１を備えている。排水装置において、圧力弁５２の作動によって余剰水が排出された際、排水が圧力弁５２の下方に配置されたサイホン発生防止装置２に達すると、サイホン発生防止装置２は旋回羽２１によって流れてきた排水に対して渦流を与え、排水流路の中央に空気層を形成することによってサイホン現象の発生を防止する。【選択図】図２
2020180526.tif 000002
【特許請求の範囲】
【請求項１】
槽体と、
槽体内の湯水を排出する排水口と、
排水口から連続する排水流路から成る排水構造であって、
上記排水流路は、
内部に排水を貯留し、封水を形成する封水部を有する排水トラップと、
封水部の上流側の排水流路内、及び封水部内におけるサイホン現象の発生を防止するサイホン発生防止装置を備えることを特徴とする排水構造。
【請求項２】
上記サイホン発生防止装置は、
封水部の上流側、及び封水部内に取り付けられていることを特徴とする請求項１に記載の排水構造。
【請求項３】
上記排水装置は、
排水口を開閉する弁部材を備え、
上記弁部材は、槽体内からの圧力が所定の値を超えた時に開口し、槽体内の湯水を下水側に排出する圧力弁を有することを特徴とする請求項１又は請求項２に記載の排水構造。
【請求項４】
上記圧力弁は、
平時において閉口方向に応力が加えられており、
槽体内の湯水から受ける水圧による応力が上記閉口方向への応力を上回った時に開口することを特徴とする請求項３に記載の排水構造。
【請求項５】
上記サイホン発生防止装置は、
排水流路内に空気層を形成することによってサイホン現象発生を防止することを特徴とする請求項１乃至請求項４のいずれか１つに記載の排水構造。
【請求項６】
上記サイホン発生防止装置は、
排水流路内に渦流を発生させることによってサイホン現象発生を防止することを特徴とする請求項１乃至請求項５のいずれか１つに記載の排水構造。
【請求項７】
上記サイホン発生防止装置は、
排水流路内に外気を流入させることによってサイホン現象発生を防止することを特徴とする請求項１乃至請求項５のいずれか１つに記載の排水構造。
【発明の詳細な説明】
【技術分野】
【０００１】
本発明は、排水流路管内が満水になることによって生じるサイホン現象を防止する、サイホン発生防止装置を備えた排水装置に関するものである。
【背景技術】
【０００２】
洗面台や流し台、浴槽等、使用によって排水を生じる槽体を備える排水装置には、当該槽体内部に生じた湯水を下水側へ排出するため、排水流路中に排水トラップが設置されている。排水トラップは、内部に槽体から排出された排水を貯留し、排水流路の一部を当該排水によって満たすことで封水部を形成することで、上記臭気や害虫が屋内へと侵入することを防ぐ逆流防止機能を有している。尚、上記排水トラップ内に貯留され、排水流路を満たす排水を「封水」と呼ぶ。
【０００３】
上記排水装置は、槽体から多量の排水が生じた際に、排水流路内が排水で満たされてサイホン現象が発生すると、排水流路内が負圧となり、排水が下流側へと引き込まれる。これにより、排水流路内の排水は勢いよく下流側へ向けて排出されるが、排水トラップ内に貯留されるはずの封水も下流側へ引き込まれていまい、封水の水面が低下する場合がある。この時、封水の水面が排水流路を満たせなくなる程低下すると、下流側と屋内が連通し、排水トラップの逆流防止機能が失われてしまう。
又、上記サイホン現象が発生した際には、排水終了時に槽体の排水口やオーバーフロー排水口から空気が引き込まれ、不快音が発生する。
【０００４】
そこで、特許文献１に記載の排水装置においては、封水部の下流側に吸気弁を設け、外気を排水流路内に吸入することによってサイホン現象を解消する様に構成されている。
【０００５】
ところで、近年意匠性や清掃性、衛生面等の理由から、槽体にオーバーフロー排水口を設けない槽体が望まれている。そこで、特許文献２の排水装置は、槽体内からの圧力が所定よりも高くなった時に開口し、槽体内の湯水を下水側に排出する圧力弁を備えることで、槽体にオーバーフロー排水口を設けることなく、余剰水を排出可能となっている。尚、圧力弁は平時において、閉口方向に応力が加えられており、槽体内に湯水を貯留可能となっている。そして、槽体内の水位が所定以上となった際には、水圧による応力が上記閉口方向への応力を上回ることで圧力弁が開口し、余剰水を排出する構造となっている。尚、余剰水の排出によって槽体内の水位が所定以下となり、水圧による応力が上記閉口方向への応力を下回ると、圧力弁が閉口し、再び湯水を貯留可能となる。圧力弁はこのように作動することによって、槽体内の水位を所定の範囲内に収めることができる。
【先行技術文献】
【特許文献】
【０００６】
【特許文献１】特開２０１６−９００３６号公報
【特許文献２】特開２０１６−２０４８９５号公報
【発明の概要】
【発明が解決しようとする課題】
【０００７】
上記特許文献１に記載された排水装置は、吸気弁が封水部よりも下流側に配置されていることから、封水部よりも上方、及び封水部内におけるサイホン現象を解消することはできない。従って、封水部よりも上方、及び封水部内におけるサイホン現象に伴う引き込みや不快音については解消することができない。
又、封水部よりも下流側に吸気弁等のサイホン発生防止装置を設ける従来の排水装置は、排水トラップに対してサイホン発生防止装置の取付口を形成する必要があり、排水トラップの形状が限定されてしまう。
【０００８】
又、排水装置が上記圧力弁を備える場合に、封水部よりも上方、及び封水部内におけるサイホン現象によって圧力弁の下流側に負圧が生じると、水位が所定以下となったにも関わらず、負圧によって圧力弁が開口したままの状態となってしまう。この時、槽体内の水位が所定よりも低下した状態であっても圧力弁が閉口できず、湯水を貯留することが不可能となる。
【０００９】
本発明は上記問題点に鑑み発明されたものであって、サイホン発生防止装置を備える排水装置の提供、及び当該排水装置が圧力弁を備えた際において、圧力弁の動作の安定化を課題とする。
【課題を解決するための手段】
【００１０】
上記課題を解決するための請求項１に記載の本発明は、槽体と、
槽体内の湯水を排出する排水口と、
排水口から連続する排水流路から成る排水構造であって、
上記排水流路は、
内部に排水を貯留し、封水を形成する封水部を有する排水トラップと、
封水部の上流側の排水流路内、及び封水部内におけるサイホン現象の発生を防止するサイホン発生防止装置を備えることを特徴とする排水構造である。
【００１１】
請求項２に記載の本発明は、上記サイホン発生防止装置は、
封水部の上流側、及び封水部内に取り付けられていることを特徴とする請求項１に記載の排水構造である。
【００１２】
請求項３に記載の本発明は、上記排水装置は、
排水口を開閉する弁部材を備え、
上記弁部材は、槽体内からの圧力が所定の値を超えた時に開口し、槽体内の湯水を下水側に排出する圧力弁を有することを特徴とする請求項１又は請求項２に記載の排水構造である。
【００１３】
請求項４に記載の本発明は、上記圧力弁は、
平時において閉口方向に応力が加えられており、
槽体内の湯水から受ける水圧による応力が上記閉口方向への応力を上回った時に開口することを特徴とする請求項３に記載の排水構造である。
【００１４】
請求項５に記載の本発明は、上記サイホン発生防止装置は、
排水流路内に空気層を形成することによってサイホン現象発生を防止することを特徴とする請求項１乃至請求項４のいずれか１つに記載の排水構造である。
【００１５】
請求項６に記載の本発明は、上記サイホン発生防止装置は、
排水流路内に渦流を発生させることによってサイホン現象発生を防止することを特徴とする請求項１乃至請求項５のいずれか１つに記載の排水構造である。
【００１６】
請求項７に記載の本発明は、上記サイホン発生防止装置は、
排水流路内に外気を流入させることによってサイホン現象発生を防止することを特徴とする請求項１乃至請求項５のいずれか１つに記載の排水構造である。
【発明の効果】
【００１７】
上記本発明によれば、封水部の上流側及び封水部内おけるサイホン現象を防止することにより、封水の引き込み、異音を防ぐことが可能となる。又、排水装置が圧力弁を備える場合において、封水部の上流側及び封水部内おけるサイホン現象に伴う圧力弁の動作不良を防ぎ、動作を安定化することが可能となる。
【図面の簡単な説明】
【００１８】
【図１】本発明の施工状態を示す断面図である。
【図２】サイホン発生防止装置を示す断面図である。
【図３】弁部材を示す断面図である。
【図４】弁部材の構成を示す分解図である。
【図５】（ａ）圧力弁の閉口状態を示す断面図、（ｂ）開口状態を示す断面図である。
【図６】第二実施形態に係るサイホン発生防止装置を示す（ａ）断面図、（ｂ）（ａ）のＡ−Ａ’断面図である。
【図７】（ａ）第三実施形態に係るサイホン発生防止装置を示す断面図、（ｂ）第四実施形態に係るサイホン発生防止装置を示す断面図である。
【図８】第五実施形態に係る本発明の施工状態を示す断面図である。
【発明を実施するための形態】
【００１９】
以下、図面を参照しながら本発明の第一実施形態を説明する。尚、以下に記載する説明は実施形態の理解を容易にするためのものであり、これによって発明が制限して理解されるものではない。
【００２０】
図１乃至図５に示す、本発明の第一実施形態に係る排水装置は、洗面台Ｓ、排水口本体１、サイホン発生防止装置２、排水トラップ３、弁部材５から構成されている。尚、図１においては排水トラップ３内に貯留された封水をハッチングにて示している。
【００２１】
洗面台Ｓは、槽体としての洗面ボウルＢと、当該洗面ボウルＢを載置する、内部に配管空間を備えたキャビネットＣから構成される。
洗面ボウルＢは上方が開口された箱状であって、底面には排水口本体１が取り付けられる取付口を備えている。
【００２２】
排水口本体１は、内部に排水流路を形成する略円筒形状であって、当該排水流路上端において排水口１１を形成する。又、排水口本体１は上端より外側に突出する鍔部と、鍔部の下方において雄螺子を備えている。
上記排水口本体１は洗面ボウルＢ底面に形成された取付口に挿通された後、洗面ボウルＢ下面に配置されたナットと螺合され、鍔部とナットにより取付口周縁を挟持することで固定されている。
【００２３】
図２に示すように、サイホン発生防止装置２は、排水口本体１の下方であって、排水トラップ３の封水部３６よりも上流側、即ち封水部３６の水面ＷＬよりも上方に配置された筒状体であり、その内側において、旋回羽２１を備えている。
旋回羽２１は螺旋状に形成された２枚の羽根体であり、排水流路内を流れる排水に渦流を与えるよう構成されている。ここで、旋回羽２１は排水流路の中心には達しておらず、当該中心には渦流によって空気層が形成される構造となっている。尚、旋回羽２１の長さや設置数、傾斜角度や巻き数については本実施形態の形状等に限るものではない。
【００２４】
排水トラップ３は、管体を略Ｓ字状に屈曲させた形状を成す管体であり、第一下り部３１、第一屈曲部３２、上り部３３、第二屈曲部３４、第二下り部３５より構成されている。
第一下り部３１は最も上流側の排水流路であって、上記サイホン発生防止装置２の下端に接続されている。又、第一下り部３１はその下端より屈曲し、第一屈曲部３２と連続している。
第一屈曲部３２は管体を約１８０°、略Ｕ字状に屈曲して形成され、前記第一下り部３１と上り部３３を繋ぐとともに、底部に清掃口が形成されている。
上り部３３は下流側に向けて排水流路が上昇するように延設されており、第一屈曲部３２の下流端と第二屈曲部３４の上流端を繋いでいる。
第二屈曲部３４は管体を約１８０°、略Ｕ字状に屈曲して形成されて、上り部３３と第二下り部３５を繋いでいる。
第二下り部３５は上記第二屈曲部３４の下流端より連続し、排水流路を垂下させるとともに、下端において更に下流側の排水流路と接続されている。
【００２５】
ここで、上記排水トラップ３は、第一下り部３１、第一屈曲部３２、上り部３３によって、封水を形成する封水部３６を構成する。封水部３６は、排水トラップ３に対して排水が流入した際に排水を貯留し、当該貯留された排水が排水流路を満たすことで封水を形成する。
【００２６】
図３及び図４に示すように、弁部材５は、弁体５１、圧力弁５２、保持機構７から構成されている。弁体５１は略円盤状から成る弁体上部５３と、網目状の弁体下部５６、弁体上部５３を覆う弁蓋５７から成り、弁体上部５３と弁体下部５６の間に後述する圧力弁本体５９が配置されている。又、圧力弁５２は上記弁体上部５３に形成された貫通孔５４と、圧力弁本体５９から構成されている。
【００２７】
弁体上部５３は周囲に環状のパッキンが嵌着されており、排水口１１を覆うことで当該排水口１１を水密的に閉塞する。又、弁体上部５３はその中心を上下に貫通する貫通孔５４が形成されているとともに、上面に形成された支柱５８を介して弁蓋５７と接続されている。貫通孔５４は下方に圧力弁本体５９が配置されているとともに、貫通孔５４下面に形成された弁座５５に圧力弁本体５９が当接することによって開閉可能となっている。
弁体下部５６は上端が弁体上部５３に接続されているとともに、中央下面に保持機構７が着脱可能に取り付けられている。
弁蓋５７は弁体５１とほぼ同径であり、弁体５１及び圧力弁５２を覆い隠すことで意匠面を形成する蓋部材であって、内部に磁石６ａが埋設されている。尚、磁石６ａは後述する圧力弁本体５９内部に埋設された磁石６ｂと引き合うように配置されている。又、弁蓋５７は下面外周において下方に向けて複数本延設された支柱５８によって弁体５１と連結されている。
圧力弁本体５９は断面視略コの字状であって、弁体５１内部を上下動自在に配置されており、上端に止水部５１０を有するとともに、内部に磁石６ｂが埋設されている。止水部５１０はゴム等の弾性部材から成るパッキンが嵌着されており、弁体５１の貫通孔５４下面に形成された弁座５５に当接することで貫通孔５４を水密的に閉塞する。
【００２８】
上記圧力弁本体５９と貫通孔５４から成る圧力弁５２は下流側の排水流路内が大気圧と等しい状態において、磁石６ａと磁石６ｂの磁力によって圧力弁本体５９が上昇している。この時、圧力弁本体５９は弁座５５に止水部５１０が当接し、貫通孔５４を水密に閉塞している。又、圧力弁５２は、圧力弁本体５９に対して上方から加わる圧力が設定された値を超えた際に開口し、上記排水流路を開放する様に構成されている。
【００２９】
保持機構７はケーシング７１と、ケーシング７１内に配置された弁軸７２、回転ギア７３、スプリング７４より構成されている。
ケーシング７１は内側面において、回転ギア７３を所定角度回転させる固定ギア下部７５と、回転ギア７３と噛合する固定ギア上部７６が配置されているとともに、外側面には排水中の毛髪等を補足するための目皿が形成されている。
弁軸７２はケーシング７１の中心に配置されているとともに、ケーシング７１の上面を貫通し、上方へ向けて延設されており、その上端に取り付けられたＯリングによって、弁体下部５６に対して着脱可能に嵌合している。又、弁軸７２には回転ギア７３が回動可能且つ上下動不能に取り付けられている。
スプリング７４はケーシング７１底面に配置されており、弁軸７２を上方に向けて付勢している。
【００３０】
上記保持機構７は弁部材５に対する押動操作に伴い、以下の様に動作することによって弁部材５を昇降させるとともに、当該弁部材５の上昇状態と下降状態を交互に保持する。
まず、排水口１１が開口している状態において、回転ギア７３は固定ギア上部７６とは噛合していない。従って、弁軸７２はスプリング７４の反発によって上方へと付勢され、弁部材５は上昇状態となっている。この時、回転ギア７３は固定ギア上部７６よりも上方に位置するとともに、圧力弁本体５９に嵌着されたパッキンが排水口本体１から離間しているため、洗面ボウルＢ内の湯水は排水口１１より下流側へと排出される。
上記弁部材５に対し、上方より弁蓋５７を押し下げるように押動操作を行うと、弁部材５が下降するとともに、回転ギア７３が固定ギア下部７５によって所定角度回転する。ここで、使用者が手を離すと、スプリング７４の反発によって弁軸７２が若干上昇し、ケーシング７１の上方に形成された固定ギア上部７６と噛合することで、弁部材５の下降状態が保持される。
上記下降状態にある弁部材５に対して使用者が再度押動操作を加えると、再び弁軸７２が下降するとともに、回転ギア７３が固定ギア下部７５によって所定角度回転し、固定ギア上部７６との噛合が解除されることで弁部材５が上昇し、排水口１１が開放される。
【００３１】
上記弁部材５が設置された洗面ボウルＢに対して、弁部材５が下降し、排水口１１が閉塞されている状態において、所定水位以下の湯水が貯留されている時、磁石６ａと磁石６ｂが引き合う力が圧力弁本体５９に加わる水圧よりも強いため、図５（ａ）に示すように、圧力弁本体５９は磁力によって上昇しており、弁座５５に止水部５１０が当接することで、圧力弁５２の閉口状態を維持している。従って、使用者は所定水位まで湯水を貯留することができる。
ここで、所定水位以上の湯水が洗面ボウルＢに貯留されると、圧力弁５２は、水圧により加わる応力が設定された値を超えることによって開口する。即ち、磁石６ａと磁石６ｂが引き合う力よりも圧力弁本体５９に加わる水圧が上回るため、圧力弁本体５９が磁力に反して押し下げられる。この時、図５（ｂ）に示すように、止水部５１０が弁座５５から離間し、貫通孔５４より洗面ボウルＢ内の余剰水が排出される。尚、当該排出された余剰水は弁体下部５６の網目部分を通過し、下水側へと排出される。
上記排出に伴い洗面ボウルＢ内の水位が低下すると、圧力弁本体５９に加わる水圧が徐々に低下する。そして、磁石６ａと磁石６ｂが引き合う力が水圧よりも上回ると、再び圧力弁本体５９が上昇する。この時、弁座５５に止水部５１０が当接することによって圧力弁５２が閉口することで湯水を貯留可能となる。
【００３２】
上記排水装置において、圧力弁５２の作動によって余剰水が排出された際、排水が圧力弁５２の下方に配置されたサイホン発生防止装置２に達すると、サイホン発生防止装置２は旋回羽２１によって流れてきた排水に対して渦流を与え、排水流路の中央に空気層を形成する。上述の通り、サイホン現象は排水流路内が満水となることによって生じることから、渦流によって空気層が形成されている状態において、排水流路中にサイホン現象は発生しない。従って、排水時に排水流路内に負圧が生じることもなく、圧力弁５２が負圧によって引き込まれることによる動作不良を防ぐことが可能となる。
【００３３】
上記本発明の排水装置は、サイホン発生防止装置２によってサイホン現象の発生を防ぎ、封水の損失や異音の発生を防止することが可能となる。又、サイホン発生防止装置２が排水トラップ３の上流側、即ち封水部３６の上流側に取り付けられていることから、封水部３６の上流側の排水流路内、及び封水部３６内におけるサイホン現象の発生を防止することが可能となる。これにより、封水部３６の上流側の排水流路内又は封水部３６内におけるサイホン現象に起因する封水の損失や異音等を防ぐことが可能となるとともに、排水装置が圧力弁５２を備えている場合において、圧力弁５２の作動不良を防ぐことが可能となる。
【００３４】
本発明の第一実施形態は以上であるが、本発明の排水装置は上記第一実施形態の形状に限られるものではなく、発明の要旨を逸脱しない範囲において自由に変更が可能である。例えば、上記第一実施形態において、サイホン発生防止装置２は旋回羽２１によって排水に渦流を付与し、空気層を形成していたが、第二実施形態のサイホン発生防止装置２のように、旋回羽を有さない形状であっても良い。
第二実施形態に係るサイホン発生防止装置２は、図６に示すように、偏芯位置にある上流側配管２２と下流側配管２３が接続部２４において接続されており、当該接続部において、上流側配管２２から流れる排水が下流側配管２３の接線方向に流れることによって排水に渦流を付与し、空気層を形成する構造となっている。
【００３５】
又、本発明のサイホン発生防止装置２は、渦流によって空気層を形成するものに限られるものではない。例えば第三実施形態に係るサイホン発生防止装置２は、図７（ａ）に示すように、下流側に向けて垂設された壁部２５を有しており、排水時には壁部２５の外側に空気層を形成することによってサイホン現象の発生を防止する構造となっている。
又、図７（ｂ）に示す第四実施形態のように、サイホン発生防止装置２は、壁部２５によって排水を排水流路の内側面に向けて排出するよう付勢することで、排水流路の内側に空気層を形成する構造であっても良い。
【００３６】
又、圧力弁５２が取り付けられた弁部材５は、弁蓋５７を直接押動することによって弁部材５が昇降する構造であったが、図８に示す第五実施形態のように、槽体の縁部等に設けられた操作部に操作を加えることによって弁部材５が昇降し、排水口を閉口する排水栓装置であっても良い。
【００３７】
本発明の実施形態は以上であるが、発明の要旨を逸脱しない範囲において種々の設計変更を加えても良い。例えば、サイホン発生防止装置２が通気弁であり、排水流路内に外気を流入させることによってサイホン現象の発生を防止する構造であっても良い。尚、通気弁をサイホン発生防止装置とした場合には、通気弁より漏水の恐れあることから、第一乃至第五実施形態に係るサイホン発生防止装置の方が好適である。
【００３８】
又、各実施形態において、サイホン発生防止装置は封水部の上流側に取り付けられていたが、これに限るものではない。例えば、サイホン発生防止装置が通気弁であって、通気弁から流入された大気が封水部に直接流入する構造である等、サイホン発生防止装置が封水部内に取り付けられていても良い。
【００３９】
又、封水部の上流側又は封水部に取り付けられたサイホン発生防止装置に加え、封水部の下流側に別途通気弁等のサイホン発生防止装置を取り付けても良い。
【符号の説明】
【００４０】
１          排水口本体
１１        排水口
２          サイホン発生防止装置
２１        旋回羽
２２        上流側配管
２３        下流側配管
２４        接続部
２５        壁部
３          排水トラップ
３１        第一下り部
３２        第一屈曲部
３３        上り部
３４        第二屈曲部
３５        第二下り部
３６        封水部
５          弁部材
５１        弁体
５２        圧力弁
５３        弁体上部
５４        貫通孔
５５        弁座
５６        弁体下部
５７        弁蓋
５８        支柱
５９        圧力弁本体
５１０      止水部
６ａ        磁石
６ｂ        磁石
７          保持機構
７１        ケーシング
７２        弁軸
７３        回転ギア
７４        スプリング
７５        固定ギア下部
７６        固定ギア上部
Ｓ          洗面台
Ｂ          洗面ボウル
Ｃ          キャビネット
【図１】
2020180526.tif 000003
【図２】
2020180526.tif 000004
【図３】
2020180526.tif 000005
【図４】
2020180526.tif 000006
【図５】
2020180526.tif 000007
【図６】
2020180526.tif 000008
【図７】
2020180526.tif 000009
【図８】
2020180526.tif 000010